【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
非磁性支持体上に、非磁性粉末および結合剤を含む非磁性層と強磁性粉末および結合剤を含む磁性層とをこの順に有する磁気記録媒体であって、
前記非磁性層および磁性層の少なくとも一方は、下記有機酸Ａおよび有機酸Ｂを含み、かつ有機酸Ａの酸強度ｐＫａ（Ａ）と有機酸Ｂの酸強度ｐＫａ（Ｂ）とは、ｐＫａ（Ａ）＜ｐＫａ（Ｂ）の関係を満たすことを特徴とする磁気記録媒体。
有機酸A：カルボキシル基、リン酸基およびホスホン酸基からなる群から選ばれる置換基を１分子中に１つ含む不飽和結合含有有機酸
有機酸B：分子内の隣接する炭素原子に置換した置換基を１分子中に２つ以上有し、かつ該置換基の少なくとも１つはカルボキシル基である脂肪族または脂環式有機酸。
【請求項２】
少なくとも非磁性層に、前記関係を満たす有機酸Ａおよび有機酸Ｂを含む、請求項１に記載の磁気記録媒体。
【請求項３】
前記磁性層は、前記有機酸Ａを含む請求項１または２に記載の磁気記録媒体。
【請求項４】
有機酸Ｂに含まれる前記置換基の少なくとも１つは水酸基である請求項１〜３のいずれか１項に記載の磁気記録媒体。
【請求項５】
有機酸Ａに含まれる不飽和結合は、芳香族複素環またはベンゼン環に含まれる請求項１〜４のいずれか１項に記載の磁気記録媒体。
【請求項６】
前記結合剤は、芳香環成分を含む請求項１〜５のいずれか１項に記載の磁気記録媒体。
【請求項７】
前記結合剤は、スルホン酸（塩）基含有結合剤を含む請求項１〜６のいずれか１項に記載の磁気記録媒体。
【請求項８】
前記結合剤は、ガラス転移温度が７５℃〜１５０℃の範囲であるポリウレタンを含む請求項１〜７のいずれか１項に記載の磁気記録媒体。
【請求項９】
前記結合剤は、二塩基酸とグリコール成分とを構成成分とするポリエステルポリオール（Ａ）と、芳香族イソシアネート（Ｂ）と、イソシアネート基と反応し得る官能基を１分子中に２個以上有する分子量１０００未満の分岐側鎖を有する化合物（Ｃ）との反応生成物であるポリエステルポリウレタンを含む請求項１〜８のいずれか１項に記載の磁気記録媒体。
【請求項１０】
前記グリコール成分は、下記一般式（Ｉ）または（ＩＩ）で表されるグリコール成分である請求項９に記載の磁気記録媒体。
【化１】
2010238330.tif 000001
[一般式（Ｉ）中、Ｒ1およびＲ2は、それぞれ独立にメチル基またはエチル基を表す。]
【化２】
2010238330.tif 000002
[一般式（ＩＩ）中、Ｒ3はメチル基またはエチル基を表す。]
【請求項１１】
ポリエステルポリオール（Ａ）は、構成成分中の８０モル％以上が芳香族二塩基酸であり、かつグリコール成分中の６０〜１００モル％が前記一般式（Ｉ）または（ＩＩ）で表されるグリコールである請求項１０に記載の磁気記録媒体。
【請求項１２】
前記磁性層および／または非磁性層は、脂肪酸または脂肪酸エステルを更に含む請求項１〜１１のいずれか１項に記載の磁気記録媒体。
【手続補正２】
【補正対象書類名】明細書
【補正対象項目名】００１４
【補正方法】変更
【補正の内容】
【００１４】
即ち、上記目的は、下記手段により達成された。
[１]非磁性支持体上に、非磁性粉末および結合剤を含む非磁性層と強磁性粉末および結合剤を含む磁性層とをこの順に有する磁気記録媒体であって、
前記非磁性層および磁性層の少なくとも一方は、下記有機酸Ａおよび有機酸Ｂを含み、かつ有機酸Ａの酸強度ｐＫａ（Ａ）と有機酸Ｂの酸強度ｐＫａ（Ｂ）とは、ｐＫａ（Ａ）＜ｐＫａ（Ｂ）の関係を満たすことを特徴とする磁気記録媒体。
有機酸A：カルボキシル基、リン酸基およびホスホン酸基からなる群から選ばれる置換基を１分子中に１つ含む不飽和結合含有有機酸
有機酸B：分子内の隣接する炭素原子に置換した置換基を１分子中に２つ以上有し、かつ該置換基の少なくとも１つはカルボキシル基である脂肪族または脂環式有機酸。
[２]少なくとも非磁性層に、前記関係を満たす有機酸Ａおよび有機酸Ｂを含む、［１］に記載の磁気記録媒体。
[３]前記磁性層は、前記有機酸Ａを含む［１］または[２]に記載の磁気記録媒体。
[４]有機酸Ｂに含まれる前記置換基の少なくとも１つは水酸基である[１]〜[３]のいずれかに記載の磁気記録媒体。
[５]有機酸Ａに含まれる不飽和結合は、芳香族複素環またはベンゼン環に含まれる[１]〜[４]のいずれかに記載の磁気記録媒体。
[６]前記結合剤は、芳香環成分を含む[１]〜[５]のいずれかに記載の磁気記録媒体。
[７]前記結合剤は、スルホン酸（塩）基含有結合剤を含む[１]〜[６]のいずれかに記載の磁気記録媒体。
[８]前記結合剤は、ガラス転移温度が７５℃〜１５０℃の範囲であるポリウレタンを含む[１]〜[７]のいずれかに記載の磁気記録媒体。
[９]前記結合剤は、二塩基酸とグリコール成分とを構成成分とするポリエステルポリオール（Ａ）と、芳香族イソシアネート（Ｂ）と、イソシアネート基と反応し得る官能基を１分子中に２個以上有する分子量１０００未満の分岐側鎖を有する化合物（Ｃ）との反応生成物であるポリエステルポリウレタンを含む[１]〜[８]のいずれかに記載の磁気記録媒体。
[１０]前記グリコール成分は、下記一般式（Ｉ）または（ＩＩ）で表されるグリコール成分である[９]に記載の磁気記録媒体。
【化１】
2010238330.tif 000003
[一般式（Ｉ）中、Ｒ1およびＲ2は、それぞれ独立にメチル基またはエチル基を表す。]
【化２】
2010238330.tif 000004
[一般式（ＩＩ）中、Ｒ3はメチル基またはエチル基を表す。]
[１１]ポリエステルポリオール（Ａ）は、構成成分中の８０モル％以上が芳香族二塩基酸であり、かつグリコール成分中の６０〜１００モル％が前記一般式（Ｉ）または（ＩＩ）で表されるグリコールである[１０]に記載の磁気記録媒体。
[１２]前記磁性層および／または非磁性層は、脂肪酸または脂肪酸エステルを更に含む[１]〜[１１]のいずれかに記載の磁気記録媒体。
【手続補正３】
【補正対象書類名】明細書
【補正対象項目名】００１６
【補正方法】変更
【補正の内容】
【００１６】
本発明の磁気記録媒体は、
非磁性支持体上に、非磁性粉末および結合剤を含む非磁性層と強磁性粉末および結合剤を含む磁性層とをこの順に有する磁気記録媒体であって、
前記磁性層は、下記有機酸Aおよび有機酸Bを含み、かつ有機酸Aの酸強度pKa(A)と有機酸Bの酸強度pKa(B)とは、pKa(A)＜pKa(B)の関係を満たす磁気記録媒体（以下、「態様１」という）；
非磁性支持体上に、非磁性粉末および結合剤を含む非磁性層と強磁性粉末および結合剤を含む磁性層とをこの順に有する磁気記録媒体であって、
前記非磁性層は、下記有機酸Aおよび有機酸Bを含み、かつ有機酸Aの酸強度pKa(A)と有機酸Bの酸強度pKa(B)とは、pKa(A)＜pKa(B)の関係を満たすことを特徴とする磁気記録媒体（以下、「態様２」という）
の２つの態様を含む。
有機酸Ａは、カルボキシル基（−ＣＯＯＨ）、リン酸基（−ＰＯ4Ｈ2）およびホスホン酸基（−Ｐ（＝Ｏ）（ＯＨ2））からなる群から選ばれる置換基を１分子中に１つ含む不飽和結合含有有機酸であり、有機酸Ｂは、分子内の隣接する炭素原子に置換した置換基を１分子中に２つ以上有し、かつ該置換基の少なくとも１つはカルボキシル基である脂肪族または脂環式有機酸である。
以下において、態様１と態様２とをあわせて、「本発明の磁気記録媒体」ということがある。
【手続補正４】
【補正対象書類名】明細書
【補正対象項目名】０１３０
【補正方法】変更
【補正の内容】
【０１３０】
【表３】
2010238330.tif 000005